(57)【要約】【課題】  異物による表示品質の低下及び誤作動を防止することができる、表示装置を提供する。【解決手段】  本発明による表示装置は、二つ以上のパネルユニットと、パネルユニットのうちの少なくとも一つのパネルユニットを外部に露出させる開口部を有する固定部材とを含み、固定部材の開口部の周囲は密封される。【選択図】図１
2006106750.tif 000002
【特許請求の範囲】
【請求項１】
二つ以上のパネルユニット、及び
前記パネルユニットのうちの少なくとも一つのパネルユニットを外部に露出させる開口部を有する固定部材を含み、
前記固定部材の前記開口部の周囲が密封される、表示装置。
【請求項２】
前記パネルユニットの間に設置され、光の一部を吸収する光吸収用部材をさらに含む、請求項１に記載の表示装置。
【請求項３】
前記光吸収用部材は前記固定部材の内面に付着される、請求項２に記載の表示装置。
【請求項４】
前記パネルユニットは、第１パネルユニット、及び前記第１パネルユニットに対向する第２パネルユニットを含み、
前記第１パネルユニットは前記第２パネルユニットより大きい、請求項２に記載の表示装置。
【請求項５】
前記第２パネルユニットは、前記固定部材の開口部を通して外部に露出され、
前記光吸収用部材は、前記第２パネルユニットの周囲に沿って前記固定部材の内面に付着される、請求項４に記載の表示装置。
【請求項６】
前記第２パネルユニット及び前記光吸収用部材は、前記第１パネルユニットの全面に対応するように配置される、請求項５に記載の表示装置。
【請求項７】
前記第１パネルユニットの全面にわたって輝度が実質的に均一である、請求項６に記載の表示装置。
【請求項８】
前記光吸収用部材は実質的に黒色である、請求項２に記載の表示装置。
【請求項９】
前記固定部材の開口部の周囲に密封部材を付着して前記固定部材の開口部を密封する、請求項１に記載の表示装置。
【請求項１０】
前記固定部材は、前記開口部の周囲の一部分を切断し折り曲げることで形成される支持部を含み、前記支持部を前記パネルユニットの側面に隣接するように配置することにより前記パネルユニットが固定される、請求項９に記載の表示装置。
【請求項１１】
前記支持部の形成のために前記開口部の周囲の一部分を切断し折り曲げることによって、前記固定部材に穿孔部が形成され、前記穿孔部に前記密封部材を付着することにより前記穿孔部を密封する、請求項１０に記載の表示装置。
【請求項１２】
前記パネルユニットの各々が、第１パネル、及び前記第１パネルに対向する第２パネルを含み、前記支持部は前記第２パネルの側面にだけ隣接する、請求項１０に記載の表示装置。
【請求項１３】
前記支持部と前記第２パネルの側面との間に非導電性部材が付着される、請求項１２に記載の表示装置。
【請求項１４】
前記支持部の上端は、前記第１パネルに対向する前記第２パネルの対向面より低く位置する、請求項１２に記載の表示装置。
【請求項１５】
前記支持部の上端と前記第２パネルの対向面との高さの差は０ｍｍより大きくて０．２ｍｍ以下である、請求項１４に記載の表示装置。
【請求項１６】
前記支持部の高さは前記第２パネルの高さより小さい、請求項１４に記載の表示装置。
【請求項１７】
前記固定部材の開口部の周囲に設置されて、前記パネルユニットを固定する支持部材をさらに含む、請求項９に記載の表示装置。
【請求項１８】
前記固定部材は、前記固定部材の開口部の周囲に形成された支持部を含み、
前記支持部材は、前記支持部材の側面に形成された係止部を含み、
前記支持部材の係止部が前記固定部材の支持部に結合される、請求項１７に記載の表示装置。
【請求項１９】
前記固定部材の開口部の周囲に沿って前記密封部材を付着することにより前記開口部が密封される、請求項１７に記載の表示装置。
【請求項２０】
前記パネルユニットを固定するフレーム部材をさらに含み、
前記フレーム部材は、開口部を有し、
前記フレーム部材は、前記フレーム部材の開口部の周囲に、突出した支持部を有し、
前記支持部が前記固定部材の開口部を貫通する、請求項９に記載の表示装置。
【請求項２１】
前記フレーム部材の支持部が、前記パネルユニットを囲んで固定する、請求項２０に記載の表示装置。
【請求項２２】
前記固定部材は、前記固定部材の開口部の周囲に沿って折り曲げることで形成された支持部をさらに含み、前記固定部材の支持部は前記フレーム部材の支持部を囲む、請求項２０に記載の表示装置。
【請求項２３】
前記固定部材の開口部の周囲に沿って前記密封部材をして前記開口部を密封する、請求項２０に記載の表示装置。
【請求項２４】
前記パネルユニットと連結された可撓性印刷回路膜をさらに含み、前記固定部材の底面は前記可撓性印刷回路膜と離隔している、請求項１に記載の表示装置。
【請求項２５】
前記可撓性印刷回路膜と前記固定部材との間に挿入された非導電性部材をさらに含む、請求項２４に記載の表示装置。
【請求項２６】
前記非導電性部材は樹脂製フィルムである、請求項２５に記載の表示装置。
【請求項２７】
前記非導電性部材は前記固定部材に付着される、請求項２５に記載の表示装置。
【請求項２８】
前記パネルユニットは、第１パネルユニット及び第２パネルユニットを含み、前記可撓性印刷回路膜は前記第１パネルユニット及び前記第２パネルユニットを連結する、請求項２４に記載の表示装置。
【請求項２９】
前記パネルユニットに光を供給する光源をさらに含む、請求項１に記載の表示装置。
【請求項３０】
前記光源は発光ダイオードである、請求項２９に記載の表示装置。
【請求項３１】
前記パネルユニットのうちの少なくとも一つのパネルユニットは液晶表示パネルである、請求項１に記載の表示装置。
【請求項３２】
前記表示装置は携帯電話用である、請求項１に記載の表示装置。
【発明の詳細な説明】
【技術分野】
【０００１】
本発明は表示装置に関し、より詳しくは、異物による表示品質の低下及び誤作動を防止することができる表示装置に関する。
【背景技術】
【０００２】
近来に入って急速に発展している半導体技術を中心にして、性能がより向上した表示装置の需要が爆発的に増加している。
近来脚光を浴びている液晶表示装置（liquid crystal display、ＬＣＤ）は、小型化、軽量化、及び低電力消費化などの利点があるため、既存のブラウン管（ＣＲＴ、cathode ray tube）の短所を克服することができる代替手段として次第に注目されつつあり、現在は、ディスプレイ装置が必要なほとんど全ての情報処理機器に装着されて使用されている。
【０００３】
一般的な液晶表示装置は、液晶の特定の分子配列に電圧を印加して異なる分子配列に変化させ、このような分子配列の変化によって発光する液晶セルの複屈折性、旋光性、二色性、及び光散乱特性などの光学的性質の変化を視覚の変化に変換するものであって、液晶セルによる光の変調を利用して情報を表示する受光型ディスプレイ装置である。
【０００４】
一方、最近では、次世代平板表示装置の一つとして、有機発光表示装置（organic light emitting display、ＯＬＥＤ）が注目されている。有機発光表示装置は、負極及び正極から注入された電子及び正孔が有機物内で結合して光を放出する自己発光現象を利用して画像を表示する。有機発光表示装置は、それ自体が光を放出する能動素子である。したがって、発光効率が高くて電力消耗が少ないだけでなく、１５Ｖ以下でも駆動が可能である。したがって、小型表示装置に適していて製造原価が低廉である。
【０００５】
したがって、携帯電話などに使用される小型平板表示装置のほとんどに前記液晶表示装置または有機発光表示装置が採択されている。携帯電話は、使用者の便宜によって、大部分が折りたたみ可能なホルダー型の携帯電話として製造される。特に、携帯電話のホルダー部の前後面に各々１つ、合計２つの表示装置を設けたデュアル（dual）表示装置が広く使用されている。
【０００６】
しかし、表示装置の占有空間を最少化するために、表示装置を構成する各部品を結合するのに別途の結合部材を使用しない。したがって、各部品にそれ自体に形成された締結部で各部品を互いに組立てる。
【０００７】
そのため、表示装置の前記のような構造によって、表示装置の内部に異物が侵入しやすい。したがって、パネルユニットに画像を表示する場合に異物が点として現れるので、表示品質が悪い問題点がある。
【０００８】
また、異物が表示装置の各部品の内部に侵入することによって、異物によって表示装置に誤作動が発生する問題点がある。
【発明の開示】
【発明が解決しようとする課題】
【０００９】
本発明は前記問題点を解決するためのものであって、異物による表示品質の低下及び誤作動を防止することができる、表示装置を提供する。
【課題を解決するための手段】
【００１０】
本発明による表示装置は、二つ以上のパネルユニット（panel unit）と、パネルユニットのうちの少なくとも一つのパネルユニットを外部に露出させる開口部を有する固定部材とを含む。固定部材の開口部の周囲は密封される。
【００１１】
本発明による表示装置は、パネルユニットの間に設置されて、光の一部を吸収する光吸収用部材をさらに含むことができる。
光吸収用部材は固定部材の内面に付着されるのが好ましい。
【００１２】
パネルユニットは、第１パネルユニット、及びこれに対向する第２パネルユニットを含む。第１パネルユニットは第２パネルユニットより大きいのが好ましい。
第２パネルユニットは固定部材の開口部を通して外部に露出され、光吸収用部材は第２パネルユニットの周囲に沿って固定部材の内面に付着されるのが好ましい。
【００１３】
第２パネルユニット及び光吸収用部材は第１パネルユニットの全面に対応するのが好ましい。
第１パネルユニットの全面にわたって輝度が実質的に均一であるのが好ましい。
【００１４】
光吸収用部材は実質的に黒色であるのが好ましい。
固定部材の開口部の周囲に密封部材を付着して固定部材の開口部を密封するのが好ましい。
【００１５】
固定部材は、開口部の周囲の一部分を切断し折り曲げることにより形成される支持部を含み、支持部をパネルユニットの側面に隣接するように配置することによりパネルユニットを固定するのが好ましい。
【００１６】
支持部の形成のために前記開口部の周囲の一部分を切断し折り曲げることによって固定部材に穿孔部が形成され、穿孔部に密封部材を付着して穿孔部を密封するのが好ましい。
上記パネルユニットの各々が、第１パネル、及びこれに対向する第２パネルを含み、支持部は第２パネルの側面にだけ隣接するのが好ましい。
【００１７】
支持部と第２パネルの側面との間に非導電性部材が付着されるのが好ましい。
支持部の上端は、第１パネルに対向する第２パネルの対向面より低く位置するのが好ましい。
【００１８】
支持部の上端と第２パネルの対向面との高さの差は０ｍｍより大きくて０．２ｍｍ以下であるのが好ましい。
支持部の高さは第２パネルの高さより小さいのが好ましい。
【００１９】
本発明による表示装置は、固定部材の開口部の周囲に設置されて、パネルユニットを固定する支持部材をさらに含むことができる。
固定部材は該固定部材の開口部の周囲に形成された支持部を含み、支持部材は該支持部材の側面に形成された係止部を含み、支持部材の係止部が固定部材の支持部に結合されるのが好ましい。
【００２０】
固定部材の開口部の周囲に沿って密封部材を付着することにより開口部を密封するのが好ましい。
本発明による表示装置は、パネルユニットを固定するフレーム部材をさらに含むことができ、フレーム部材は開口部及びその周囲に突出した支持部を有し、支持部が固定部材の開口部を貫通するのが好ましい。
【００２１】
フレーム部材の支持部がパネルユニットを囲んで固定するのが好ましい。
固定部材は、その開口部の周囲に沿って折り曲げることで形成された支持部をさらに含み、固定部材の支持部はフレーム部材の支持部を囲むのが好ましい。
【００２２】
固定部材の開口部の周囲に沿って上記密封部材を付着して開口部を密封するのが好ましい。
本発明による表示装置は、パネルユニットと連結された可撓性印刷回路膜（flexible printed circuit film、ＦＰＣ）をさらに含むことができ、固定部材の底面は可撓性印刷回路膜と離隔しているのが好ましい。
【００２３】
本発明による表示装置は、可撓性印刷回路膜と固定部材との間に挿入された非導電性部材をさらに含むことができる。
非導電性部材は樹脂製フィルムであるのが好ましい。
【００２４】
非導電性部材は固定部材に付着されるのが好ましい。
パネルユニットは、第１パネルユニット及び第２パネルユニットを含み、可撓性印刷回路膜が第１パネルユニット及び第２パネルユニットを連結するのが好ましい。
【００２５】
本発明による表示装置は、パネルユニットに光を供給する光源をさらに含むことができる。
光源は発光ダイオード（light emitting diode、ＬＥＤ）である。
【００２６】
パネルユニットのうちの少なくとも一つのパネルユニットは液晶表示パネルであるのが好ましい。
表示装置は携帯電話（celluar phone）用である。
【発明の効果】
【００２７】
本発明による表示装置は、異物の侵入を防止して、表示装置の性能を向上させることができる。具体的には、 表示品質が向上するだけでなく、異物による短絡を防止することができる。
【００２８】
また、異物の侵入を防止するための密封部材が光を吸収することができる。したがって、表示装置で鮮明な画像を表示することができる。
そして、本発明によれば、表示装置の構造を単純化しながらも、パネルユニットを安定的に固定することができる。
【発明を実施するための最良の形態】
【００２９】
以下、図１乃至図８を参照して、本発明の実施形態を説明する。ここで説明する本発明の実施形態は単に本発明を例示するためのものであり、本発明はこれに限定されない。
図１は本発明の第１実施形態による表示装置１００を分解して示した図面である。表示装置１００は、第１パネルユニット２０及び第２パネルユニット３０を含む。図１には、第１パネルユニット２０及び第２パネルユニット３０が互いに対向するデュアル（dual）表示装置を示したが、これは単に本発明による表示装置の構造を例示するためのものであり、本発明はこれに限定されない。したがって、表示装置を他の形態に変形することもできる。
【００３０】
また、図１にはパネルユニット２０、３０として液晶表示パネルを示したが、これは単に本発明を例示するためのものであり、本発明はこれに限定されない。したがって、液晶表示パネルの代りに有機発光表示パネルを使用することもできる。二つ以上のパネルユニットのうちの少なくとも一つとして液晶表示パネルを使用することができる。
【００３１】
パネルユニット２０、３０として液晶表示パネルを使用する場合には、パネルユニット２０、３０に光を供給する光源９１０が必要である。パネルユニット２０、３０及び光源９１０を固定するために、複数の固定部材３６１、３３６、３６２を設置する。固定部材３６１、３６２はステンレス鋼から形成することができ、固定部材３３６は樹脂から形成することができる。
【００３２】
パネルユニットアセンブリ２５０は、第１パネルユニット２０、第２パネルユニット３０、可撓性印刷回路膜３５０、３６０、集積回路チップ６２０、及び可撓性印刷回路基板（flexible printed circuit board、ＦＰＣＢ）６１０を含む。図１には互いに対向する２つのパネルユニットを示したが、これは単に本発明を例示するためのものであり、本発明はこれに限定されない。したがって、表示装置１００は、２つ以上のパネルユニットを含めばよい。
【００３３】
表示装置１００は携帯電話用として使用することができる。携帯電話を便利に使用するために、第１パネルユニット２０はこれに対向する第２パネルユニット３０より大きい。表示装置１００をホルダー型携帯電話に設置する場合、第１パネルユニット２０は携帯電話ホルダー部の内面に位置し、第２パネルユニット３０は携帯電話ホルダー部の外面に位置する。したがって、ホルダー部を閉じた状態では、画面の大きさが小さい第２パネルユニット３０を通じて時間など比較的少量の情報に接することができる。また、通話をする場合には、ホルダー部を開いて、画面の大きさが大きい第１パネルユニット２０を通じて比較的多量の情報に接することができる。
【００３４】
以下、液晶表示パネルである第１パネルユニット２０の内部構造について説明する。第２パネルユニット３０の構造は、第１パネルユニット２０の構造と同一なので、詳細な説明は省略する。
【００３５】
第１パネルユニット２０は、ＴＦＴ（thin film transistor、薄膜トランジスタ）パネル２０ｂ及びカラーフィルターパネル２０ａを含む。ＴＦＴパネル２０ｂはマトリックス状の薄膜トランジスタが形成されている透明なガラスパネルである。ソース端子にはデータ線が連結され、ゲート端子にはゲート線が連結される。そして、ドレイン端子には導電性材質で透明なＩＴＯ（indium tin oxide、インジウムチンオキシド）からなる画素電極が形成される。
【００３６】
第１パネルユニット２０のデータ線及びゲート線に可撓性印刷回路基板６１０から電気信号が入力されると、ＴＦＴのソース端子及びゲート端子に電気的な信号が入力される。電気的な信号の入力によってＴＦＴがターンオン（turn on）またはターンオフ（turn off）されて、画素の形成に必要な電気信号がドレイン端子に出力される。
【００３７】
カラーフィルターパネル２０ａはＴＦＴパネル２０ｂに対向してその上に配置される。カラーフィルターパネル２０ａは光の通過によって所定の色を発現する色画素であるＲＧＢ画素が薄膜工程によって形成された基板である。カラーフィルターパネル２０ａの全面にはＩＴＯからなる共通電極が塗布される。ＴＦＴのゲート端子及びソース端子に電源が印加されて薄膜トランジスタがターンオンされると、画素電極とカラーフィルターパネル２０ａの共通電極との間に電界が形成される。このような電界によってＴＦＴパネル２０ｂとカラーフィルターパネル２０ａとの間に注入された液晶の配向角が変化し、変化した配向角にしたがって光の透過度が変化して、所望の画素が形成されるようになる。ＴＦＴパネル２０ｂ及びカラーフィルターパネル２０ａの外部両面には偏光板（図示せず）が付着されている。
【００３８】
第１パネルユニット２０の液晶の配向角及び液晶に電圧が印加される時期を制御するために、集積回路チップ６２０がＴＦＴのゲート線及びデータ線に駆動信号及びタイミング信号を印加する。ＴＦＴパネル２０ｂ上に付着された集積回路チップ６２０は保護膜６２１で保護される。集積回路チップ６２０は、第１パネルユニット２０を駆動するデータ信号及びゲート駆動信号を適切な時期に印加するための複数のタイミング信号を発生させて、ゲート駆動信号及びデータ信号を各々第１パネルユニット２０のゲート線及びデータ線に印加する。
【００３９】
可撓性印刷回路膜３６０は第１パネルユニット２０及び第２パネルユニット３０を連結する。図１では、便宜上、可撓性印刷回路膜３６０を切って示したが、実際には連結されている。第１パネルユニット２０及び第２パネルユニット３０が互いに連結されるので、第１パネルユニット２０を通じて集積回路チップ６２０の駆動信号を第２パネルユニット３０に伝送することができる。したがって、集積回路チップ６２０が第２パネルユニット３０を制御する。
【００４０】
可撓性印刷回路基板６１０には複数の抵抗素子６１０３が実装される。抵抗素子６１０３は各固定部材３３６、３６２の開口部３３６１、３６２４に収納される。
可撓性印刷回路基板６１０の端部には携帯電話コネクタ６１０１が実装される。可撓性印刷回路膜３５０は携帯電話コネクタ６１０１を通じてホルダーの開閉による信号の印加を受ける。可撓性印刷回路膜３５０は第１パネルユニット２０及び可撓性印刷回路基板６１０を連結する。図１には、便宜上、可撓性印刷回路膜３５０を切って示したが、実際には連結されている。
【００４１】
光源９１０は第１パネルユニット２０と第２パネルユニット３０との間に設置される。光源９１０はパネルユニット２０、３０に均一な光を供給する。光源９１０は固定部材３３６、３６２で固定される。光学シート３４２、３４３及び導光板３４１は光の輝度を向上させてパネルユニット２０、３０に供給する。
【００４２】
光源９１０から出射された光は導光板３４１を通過しながらガイドされる。導光板３４１を通してガイドされた光の一部は第１パネルユニット２０に向かい、一部は導光板３４１を透過して第２パネルユニット３０に向かう。このために、導光板３４１は光の一部が透過可能な素材からなる。ガイドされた光は、光学シート３４２、３４３を経て輝度が向上され、第１パネルユニット２０及び第２パネルユニット３０に各々供給される。
【００４３】
図１には光源９１０として可撓性印刷回路基板９５０上に実装された発光ダイオードを示したが、これは単に本発明を例示するためのものであり、本発明はこれに限定されない。したがって、他の光源を使用することもできる。例えば、発光ダイオードを含む線光源を使用することができる。可撓性印刷回路基板９５０は端子３７０に電気的に連結される。したがって、光源９１０は可撓性印刷回路基板６１０から印加された光源制御信号によって駆動される。
【００４４】
固定部材３６２は開口部３６２１を有する。第２パネルユニット３０は固定部材３６２の開口部３６２１を通じて外部に露出される。可撓性印刷回路基板９５０及び第１パネルユニット２０は固定部材３３６上に固定される。第１パネルユニット２０を固定部材３３６上に固定し、第２パネルユニット３０を固定した固定部材３６２を固定部材３３６に締結する。次に、第１パネルユニット２０上に固定部材３６１を被せて第１パネルユニット２０を固定する。
【００４５】
可撓性印刷回路基板６１０は開口部６１０５を有する。第２パネルユニット３０は開口部６１０５を通じて外部に露出される。固定部材３６２の下部は可撓性印刷回路基板６１０で覆われる。そして、固定部材３６２及び可撓性印刷回路膜３６０が互いに接触して短絡するのを防止するために、両者を離隔させる。例えば、図１に示したように、固定部材３６２と可撓性印刷回路膜３６０との間に非導電性部材３６３を挿入することができる。
【００４６】
固定部材３６２の内面には光吸収用部材３６４を付着することができる。光吸収用部材３６４を固定部材３６２の開口部３６２１の周囲に付着して固定部材３６２の開口部３６２１の周囲を密封する。したがって、外部の異物が開口部３６２１を通じて表示装置１００の内部に侵入するのを防止することができる。その結果、異物による表示装置１００の誤作動や表示品質の低下を防止することができる。
【００４７】
光吸収用部材３６４は第１パネルユニット２０と第２パネルユニット３０との間に設置される。光吸収用部材３６４は第２パネルユニット３０の周囲に沿って固定部材３６２の内面に付着される。したがって、第１パネルユニット２０などを通じて入射される光の一部は反射されずに光吸収用部材３６４によって吸収される。したがって、第１パネルユニット２０の全面にわたって輝度が実質的に均一になる。
【００４８】
図２は図１に示した表示装置１００の全ての部品を結合した状態を示した図面である。第１パネルユニット２０を通じて入射された光は反射されずに光吸収用部材３６４（図１に図示）に吸収される。したがって、第１パネルユニット２０の全面にわたって輝度が実質的に均一になる。その結果、第１パネルユニット２０に画像を表示する場合に、第２パネルユニット３０に起因する暗部境界が発生しない。これを、図３を参照してより詳細に説明する。
【００４９】
図３は、図２のＩＩＩ−ＩＩＩ線に沿って表示装置１００を切断した断面構造を示す図面である。第２パネルユニット３０及びその周囲を囲む光吸収用部材３６４が第１パネルユニット２０の全面に対応するように位置することによって、光の輝度を均一化することができる。光吸収用部材３６４は黒色樹脂素材または黒色に近い樹脂素材からなる。したがって、光吸収用部材３６４は光を吸収するのに適している。
【００５０】
図３に矢印で示したように、第１パネルユニット２０を通過した光の一部は第２パネルユニット３０を通過する。第１パネルユニット２０を通過した光の残りは、光吸収用部材３６４によって吸収されて第１パネルユニット２０側に再反射されない。したがって、第１パネルユニット２０側に反射される光がほとんどない。その結果、第１パネルユニット２０に、第２パネルユニット３０の境界が見えない画像を表示することができる。
【００５１】
図３に示した表示装置１００を組立てる場合には、図３における下方から大きな力が作用する。このような力はそのまま可撓性印刷回路基板６１０に作用して、可撓性印刷回路基板６１０が可撓性印刷回路膜３６０を押す。したがって、固定部材３６２及び可撓性印刷回路膜３６０が互いに近づく。固定部材３６２が金属素材からなる場合には、固定部材３６２及び可撓性印刷回路膜３６０が接触して短絡が発生することがある。
【００５２】
本発明では、可撓性印刷回路膜３６０と固定部材３６２との間に非導電性部材３６３を挿入する。非導電性部材３６３は樹脂材フィルムから形成することができる。非導電性部材３６３は固定部材３６２に付着されて堅固に固定される。したがって、固定部材３６２の底面は可撓性印刷回路膜３６０と離隔されるので、両者間に短絡が発生するのを防止することができる。
【００５３】
金属素材からなる固定部材３６２はその表面が堅固である。したがって、固定部材３６２の底面が可撓性印刷回路膜３６０と接触する場合に、可撓性印刷回路膜３６０の配線が損傷されることがあり得る。しかし、本発明では、非導電性部材３６３が固定部材３６２と可撓性印刷回路膜３６０との間に位置して衝撃を緩和させる。したがって、可撓性印刷回路膜３６０が破損するのを防止することができる。
【００５４】
特に、図３の拡大円に示したように、固定部材３６２の下部に導電性の異物（Ｐ）が存在することがある。この場合にも、非導電性部材３６３が固定部材３６２と可撓性印刷回路膜３６０との間に位置するので、固定部材３６２及び可撓性印刷回路膜３６０が互いに接触する可能性がない。したがって、導電性の異物（Ｐ）の存在に関係なく、固定部材３６２及び可撓性印刷回路膜３６０が互いに接触して通電されることがない。その結果、短絡による表示装置１００の誤作動を事前に防止することができる。
【００５５】
図４は本発明の第２実施形態による表示装置２００の背面構造を示す。可撓性印刷回路基板は、便宜上、図示しない。図４に示した本発明の第２実施形態による表示装置２００の構造は、図１に示した本発明の第１実施形態による表示装置の構造と類似している。したがって、同一の部分には同一の図面符号を使用して、その詳細な説明は省略する。
【００５６】
表示装置２００に含まれた固定部材３６２の開口部３６２１（図１に図示）の周囲が密封される。表示装置２００を密封するために、固定部材３６２の開口部３６２１の周囲に沿って密封部材３６５を付着する。したがって、外部の異物（Ｐ）が固定部材３６２と第２パネルユニット３０との間に侵入するのを防止することができる。
【００５７】
支持部３６２５は、固定部材３６２の開口部３６２１の周囲の一部分を切断し折り曲げることにより形成される。支持部３６２５を第２パネルユニット３０の側面に隣接させることにより、第２パネルユニット３０が固定される。支持部３６２５は第２パネルユニット３０の側面にだけ隣接して第２パネルユニット３０を固定する。この方法で第２パネルユニット３０を固定すれば、別途の部品を使用しなくてもよいので、表示装置２００の構造を単純化することができる。したがって、表示装置２００を携帯電話用として使用する場合に、携帯電話の大きさ及び重量を大きく減少させることができる。
【００５８】
支持部３６２５の折曲げによって固定部材３６２には穿孔部３６２３が形成される。穿孔部３６２３には密封部材３６５が付着されているので、穿孔部３６２３を容易に密封することができる。密封部材３６５としては樹脂製フィルムからなるテープを使用することができる。
【００５９】
図４の拡大円には支持部３６２５を拡大して示す。固定部材３６２が金属素材から形成されるので、支持部３６２５も金属素材から形成されることができる。第２パネルユニット３０は、第１パネル３０ａ及び第２パネル３０ｂを含み、両パネルの間にはＩＴＯ膜（図示せず）が形成される。したがって、支持部３６２５及びＩＴＯ膜が接触すると短絡が発生して表示装置２００が損傷するおそれがある。ここで、第１パネル３０ａはカラーフィルターパネルであり、第２パネル３０ｂはＴＦＴパネルであることができる。
【００６０】
短絡の発生を防止するために、支持部３６２５と第２パネルユニット３０との間に非導電性部材３６６を付着することができる。非導電性部材３６６は支持部３６２５及びＩＴＯ膜の通電を遮断する。したがって、表示装置２００の故障を防止することができる。
【００６１】
非導電性部材３６６を付着しない場合には、支持部３６２５の高さを調節して短絡の発生を防止することができる。つまり、支持部３６２５の高さが第２パネル３０ｂの高さより小さければ、支持部３６２５が第２パネルユニット３０のＩＴＯ膜に接触しないので、短絡の発生を防止することができる。
【００６２】
より具体的には、支持部３６２５の上端３６２５ａが第１パネル３０ａに対向する第２パネル３０ｂの対向面３０ｂ１より低く位置するのが好ましい。ここで、第２パネル３０ｂの対向面３０ｂ１は第１パネル３０ａに対向する第２パネル３０ｂの面を意味する。この場合、支持部３６２５の上端３６２５ａの高さが低いので、ＩＴＯ膜と接触しない。したがって、短絡が発生しない。
【００６３】
支持部３６２５の上端３６２５ａと第２パネル３０ｂの対向面３０ｂ１との高さの差（ｄ）は０．０ｍｍより大きくて０．２ｍｍ以下であるのが好ましい。高さの差（ｄ）が０．０ｍｍである場合には、第２パネルユニット３０または固定部材３６２の動きによって支持部３６２５がＩＴＯ膜と接触することがある。また、支持部３６２５の高さが約０．３ｍｍ乃至０．５ｍｍであり、偏光板を含む第２パネル３０ｂの厚さが約０．６ｍｍ乃至０．８ｍｍであるので、製造時の公差を考慮して、高さの差（ｄ）は０．２ｍｍを越えないのが好ましい。
【００６４】
図５は本発明の第３実施形態による表示装置３００の第２パネルユニット３０側を分解して示した図面である。図５に示した本発明の第３実施形態による表示装置３００の構造は、図１に示した本発明の第１実施形態による表示装置の構造と類似しているので、同一の部分には同一の図面符号を使用して、その詳細な説明は省略する。
【００６５】
図５に示したように、支持部材３８０を使用して第２パネルユニット３０を固定することができる。支持部材３８０は、固定部材３７２の開口部３７２１の周囲に付着されて、第２パネルユニット３０を固定する。第２パネルユニット３０が支持部材３８０により固定されるので、第２パネルユニット３０をより堅固に固定することができる。
【００６６】
複数の支持部３７２６、３７２７、３７２８が固定部材３７２に形成されて、支持部材３８０を固定部材３７２上に堅固に支持する。 支持部３７２６は図６に示す。支持部３７２６、３７２７、３７２８の各々は支持部材３８０に形成された係止部３８０１、３８０３、３８０７に挿入されるので、支持部材３８０及び固定部材３７２が互いに堅固に結合される。
【００６７】
固定部材３７２の開口部３７２１の周囲に沿って密封部材３７４が付着される。したがって、固定部材３７２の開口部３７２１の周囲を効果的に密封することができる。支持部３７２６、３７２７、３７２８、３７２９は固定部材３７２の開口部３７２１の周囲に多様な形態で形成される。支持部材３８０の側面には多様な形態の係止部３８０１、３８０３が形成される。支持部材３８０は射出成形を利用して樹脂素材から形成することができる。したがって、多様な形態の係止部を製造するのが容易である。係止部３８０１、３８０３が支持部３７２６、３７２７、３７２８、３７２９に結合されるので、支持部材３８０を固定部材３７２に安定的に固定することができる。
【００６８】
図６は図５に示した表示装置３００を結合してひっくり返した状態を示した図面である。図６に点線で示したように、固定部材３７２の開口部３７２１（図５に図示）の周囲に沿って密封部材３７４が付着される。密封部材３７４としてテープを使用することができる。したがって、異物（Ｐ）が固定部材３７２の開口部３７２１を通って侵入するのを防止することができる。その結果、異物（Ｐ）によって表示装置３００が損傷されるのを防止することができる。
【００６９】
第２パネルユニット３０は支持部材３８０上に装着されるので、安定的に固定される。したがって、表示装置３００の耐久性が向上する。
図７は本発明の第４実施形態による表示装置４００を部分分解して示した図面である。図７に示した本発明の第４実施形態による表示装置４００の構造は、図１に示した本発明の第１実施形態による表示装置の構造と類似しているので、同一の部分には同一の図面符号を使用して、その詳細な説明は省略する。
【００７０】
図７に示したフレーム部材３４６は第２パネルユニット３０を固定する。フレーム部材３４６は開口部３４６１を有する。また、フレーム部材３４６は、開口部３４６１の周囲に、突出した支持部３４６３を有する。支持部３４６３は、第２パネルユニット３０の結合方向（図７においてフレーム部材３４６から第２パネルユニット３０の方へ下向きに向かう方向）に突出している。フレーム部材３４６の支持部３４６３は固定部材３８２の開口部３８２１を貫通する。したがって、支持部３４６３の内側に光学シート３４３及び第２パネルユニット３０を固定することができる。
【００７１】
図８は図７に示した表示装置４００を結合してひっくり返した状態を示した図面である。図８に点線で示したように、固定部材３８２の開口部３８２１（図７に図示）の周囲に沿って密封部材３８４を付着する。したがって、異物（Ｐ）が固定部材３８２の開口部３８２１を通じて侵入するのを防止することができる。
【００７２】
図８に示したように、フレーム部材３４６の支持部３４６３は、第２パネルユニット３０を囲って固定する。フレーム部材３４６自体に支持部３４６３が形成されているので、表示装置４００の構造を単純化しながらも、第２パネルユニット３０を安定的に固定することができる。固定部材３８２は、その開口部３８２１の周囲に沿って折り曲げることで形成される支持部３８２３をさらに含む。固定部材３８２の支持部３８２３は、表示装置が組み立てられたときにフレーム部材３４６の支持部３４６３を囲むので、第２パネルユニット３０がより安定的に固定される。
【００７３】
以下、本発明の実験例を通じて、本発明の第１実施形態による表示装置について説明する。しかし、下記の実験例は単に本発明を例示するためのものであり、本発明はこれに限定されない。
【００７４】
実験例
図１に示した表示装置の構造と同一の構造を有する表示装置を使用して実験した。黒色のラミネーションテープ（ラミネート用粘着テープ）を光吸収用部材として使用した。パネルユニットは全て液晶表示パネルを使用し、使用した表示装置のモデル名はＬＴＳ１８０Ｓ３−ＨＦであった。表示装置を製造した後、電圧を印加して、第１パネルユニット及び第２パネルユニットに画像を表示した。
【００７５】
図９Ａは、表示装置を作動させた時の第１パネルユニットの表示画面を示している。表示装置の表示面が水平になるように配置したときに第１パネルユニットの下方（地面方向）に第２パネルユニットが位置するように、表示装置が配置される。図９Ａの図面上左側端部に発光ダイオードが設置されて光を出射する。図９Ａに示したように、下方に位置した第２パネルユニットによる明暗境界が、第１パネルユニットの表示画面上で観察されなかった。第１パネルユニットを通過した光及び光源から出射された光のうち、固定部材の第２パネルユニットが位置する部分以外の部分に向かう光は、光吸収用部材によって吸収されるので、第２パネルユニットの明暗境界が現れなかった。したがって、第１パネルユニットに鮮明な画像を表示することができた。
【００７６】
比較例
上述したような本発明の実験例と比較するために、光吸収用部材を設置しない表示装置を使用して実験した。表示装置のモデル名はＬＴＳ１８０Ｓ３−ＨＦであり、他の実験条件は前記実験例と同一である。
【００７７】
図９Ｂは、表示装置を作動させた時の第１パネルユニットの表示画面を示す。表示装置の表示面が水平になるように配置したときに第１パネルユニットの下方（地面方向）には第２パネルユニットが位置するように、表示装置が配置される。図９Ｂの左側端に発光ダイオードが設置されて光を出射する。図９Ｂに示したように、比較例においては、第１パネルユニットの下方に位置した第２パネルユニットによる明暗境界が第１パネルユニットの表示画面上で観察された。本比較例では、光吸収用部材を設置しなかったので、第１パネルユニットを通過した光及び光源から出射された光のうち、固定部材の第２パネルユニットが位置する部分以外の部分に向かう光が、固定部材によって反射される。したがって、第２パネルユニットが位置する部分だけが周囲より暗くに表示される。したがって、第１パネルユニットに鮮明な画像を表示することができなかった。
【００７８】
以上に記載のように本発明を説明したが、本発明は、特許請求の範囲の概念及び範囲を逸脱しない限り多様な修正及び変形が可能であるということが、本発明が属する技術分野に従事する者には容易に理解される。
【図面の簡単な説明】
【００７９】
【図１】本発明の第１実施形態による表示装置の分解斜視図である。
【図２】図１に示した表示装置の外観斜視図である。
【図３】図２のＩＩＩ−ＩＩＩ線に沿って切断した断面図である。
【図４】本発明の第２実施形態による表示装置を背面側からみた斜視図である。
【図５】本発明の第３実施形態による表示装置の部分分解斜視図である。
【図６】図５に示した表示装置の部分を背面側からみた斜視図である。
【図７】本発明の第４実施形態による表示装置の部分分解斜視図である。
【図８】図６に示した表示装置の部分を背面側からみた斜視図である。
【図９Ａ】本発明の表示装置の実験例における第１パネルユニットの表示画面を示した図である。
【図９Ｂ】比較例としての従来の表示装置における第１パネルユニットの表示画面を示した図面である。
【符号の説明】
【００８０】
１００、２００、３００、４００  表示装置
２５０  パネルユニットアセンブリ
２０  第１パネルユニット
２０ａ  カラーフィルターパネル
２０ｂ  ＴＦＴパネル
３０  第２パネルユニット
３０ａ  第１パネル
３０ｂ  第２パネル
３３６１、３４６１、３６２１、３６２４、３７２１、３８２１  開口部
３４１  導光板
３４２、３４３  光学シート
３４６  フレーム部材
３４６３、３７２６、３７２７、３７２８、３７２９、３８２３  支持部
３５０、３６０  可撓性印刷回路膜
３６１、３３６、３６２、３７２、３８２  固定部材
３６３、３６６  非導電性部材
３６４  光吸収用部材
３６５、３７４、３８４  密封部材
３６２３  穿孔部
３６２５  支持部
３７０  端子
３８０  支持部材
３８０１、３８０３、３８０７  係止部
６１０、９５０  可撓性印刷回路基板
６２０  集積回路チップ
６２１  保護膜
６１０１  携帯電話コネクタ
６１０３  抵抗素子
６１０５  開口部
９１０  光源
【図１】
2006106750.tif 000003
【図２】
2006106750.tif 000004
【図３】
2006106750.tif 000005
【図４】
2006106750.tif 000006
【図５】
2006106750.tif 000007
【図６】
2006106750.tif 000008
【図７】
2006106750.tif 000009
【図８】
2006106750.tif 000010
【図９Ａ】
2006106750.tif 000011
【図９Ｂ】
2006106750.tif 000012